(57)【要約】アイドルフレームカウンタ（３０８）はデータフレーム再送信後に再設定されない。さらに、否定応答（ＮＡＫ）が送信最終データフレームに対して受信された場合、これ以上のアイドルフレームは送信されない。最後に、推定される次の新規データフレームの順序番号と等しい順序番号のアイドルフレームが受信された場合、アイドル肯定応答（ＡＣＫ）が送信される。
2005515699.tif 000002
【特許請求の範囲】
【請求項１】
複数のデータフレームを遠隔装置に送信する工程と、
最終データフレームが前記遠隔装置に送信されたことを判定する工程と、
前記最終データフレームが前記遠隔装置に送信されたという判定に応答して第一の複数（Ｋ）個のアイドルフレームを送信する工程と、
データフレームが不正受信されたことを示す否定応答（ＮＡＫ）を前記遠隔装置から受信する工程と、
前記不正受信されたデータフレームを再送信する工程と、
前記データフレーム再送信後、Ｎ−Ｋ個のアイドルフレームを前記遠隔装置に送信する工程とを備えるデータ送信終了時に所定数（Ｎ）個のアイドルフレームが送信されるデータ送信方法。
【請求項２】
前記第一の複数のアイドルフレームを送信する工程は、各アイドルフレームが送信された最終データフレームから増分された順序番号を有する前記第一の複数のアイドルフレームを送信する工程を備える請求項１に記載の方法。
【請求項３】
前記ＮＡＫが前記最終データフレームの再送信を要求するか否か判定する工程と、
前記ＮＡＫが前記最終データフレーム再送信を要求する場合、アイドルフレームをこれ以上送信せず、前記ＮＡＫが前記最終データフレーム再送信を要求しない場合には、前記データフレーム再送信後にＮ−Ｋ個のアイドルフレームを前記遠隔装置に送信する工程とをさらに備える請求項１に記載の方法。
【請求項４】
複数のデータフレームを遠隔装置に送信する工程と、
最終データフレームが前記遠隔装置に送信されたことを判定する工程と、
前記最終データフレームが前記遠隔装置に送信されたという判定に応答して第一の複数のアイドルフレームを送信する工程と、
前記最終データフレームが不正受信されたことを示す否定応答（ＮＡＫ）を前記遠隔装置から受信する工程と、
前記最終データフレームが不正受信されたという判定に応答してアイドルフレームの送信を中断する工程とを備えるデータ送信終了時に所定数のアイドルフレームが送信されるデータ送信の方法。
【請求項５】
前記第一の複数のアイドルフレームを送信する工程は、各アイドルフレームが送信された最終データフレームから増分された順序番号を有する前記第一の複数のアイドルフレームを送信する工程を備える請求項４に記載の方法。
【請求項６】
複数のデータフレームを受信する工程と、
データフレームが不正受信されたことを判定する工程と、
前記データフレームが不正受信されたという判定に応答して否定応答（ＮＡＫ）を送信する工程と、
アイドルフレームを受信する工程と、
前記受信されたアイドルフレームに応答して肯定応答（ＡＣＫ）を送信する工程とを備えるデータ送信の方法。
【請求項７】
複数のデータフレーム及び複数のアイドルフレームを遠隔装置に出力するための送信回路と、
否定応答されたデータフレームを入力として有する受信回路と、
最終データフレームが前記遠隔装置に送信されたことを判定し、最終データフレームが遠隔装置に送信されたという判定に応答して前記送信回路に第一の複数（Ｋ）個のアイド
ルフレームを送信するよう指示し、及び否定応答されたデータフレームの再送信後に前記送信回路にＮ−Ｋ個のアイドルフレームを前記遠隔装置に送信するように指示する論理回路とを備える、データ送信終了時に所定数（Ｎ）個のアイドルフレームが送信される通信システム内のデータ送信のための装置。
【請求項８】
前記否定応答されたデータフレームが最終データフレーム再送信を要求する場合に、前記論理ユニットがアイドルフレームをこれ以上送信しないように前記送信回路をさらに指示する請求項７に記載の装置。
【請求項９】
複数のデータフレーム及び複数のアイドルフレームを遠隔装置に出力するための送信回路と、
否定応答されたデータフレームを入力として有する受信回路と、
最終データフレームが前記遠隔装置に送信されたことを判定し、及び前記否定応答されたデータフレームが前記最終データフレームの再送信を要求した場合にアイドルフレームをこれ以上送信しないよう前記送信回路を指示する論理回路とを備える通信システム内のデータ送信のための装置。
【請求項１０】
データフレームとアイドルフレームを受信するための受信回路と、
不十分に受信されたフレームに応答してＮＡＫを生成するために、及びさらに受信されたアイドルフレームに応答してＡＣＫを生成するために前記受信回路に接続されたＡＣＫ／ＮＡＫ発生器とを備える遠隔装置。
【発明の詳細な説明】
【技術分野】
【０００１】
本発明は一般的にデータの送信及び受信に関する。より詳細には、無線通信システム内のデータの送信及び受信データのための方法及び装置に関する。
【背景技術】
【０００２】
現在の符号分割多重接続（ＣＤＭＡ）通信システム内で、無線リンクプロトコル（ＲＬＰ）はリンク層で移動端末と基幹設備間でデータトラフィックを移送するために使用される。ＲＬＰは、受信側が正確に受信されたＲＬＰフレームと認知しない場合、プロトコルに基づき否定応答（ＮＡＫ）する。順序通りの配信はフレームごとの順序番号（ＳＥＱ）の使用により実現される。ＲＬＰは、［ＳＥＱ（Ｓ）］を送信するための次の新しいデータフレームの順序番号のためのカウンタ、及び［ＳＥＱ（Ｒ）］を受信するための推定される次の新しいデータフレームの順序番号のためのカウンタを保守する。ＲＬＰは次に推定される順序番号［ＳＥＱ（Ｒ）］より大きい順序番号のフレームを受信した場合に、ＲＬＰフレームの再送信を要求する。再送信は送信側が受信されなかったフレームの順序番号を識別するためにＮＡＫを送信することにより実現される。否定応答された（ＮＡＫ’ｄ）フレームを受信する前に、次に送信されるＲＬＰフレームが続けて受信側に受信される。
【０００３】
図１は現行のＲＬＰ  ＮＡＫの手順を示す。図示のように、フレーム１０１は無線により送信側により送信され、受信側によりフレーム１０２として受信される。無線送信中、しばしばデータが喪失し、再送信される必要がある。これは図１ではフレームＦ３の喪失として示されている。フレームＦ４を受信することにより、受信側は即座にＦ３が未着であると認識し、ＮＡＫを送信側に送信することによりＦ３の再送信の要求をする。ＮＡＫの受信により送信側は送信側に即座にＦ３を再送信する。
【０００４】
（アップロードやダウンロードなどで）ベアラデータが受信側によりバーストされた際に、最終データフレームが受信されなかった場合に問題が生じる。この場合、受信側は次のフレームを受信できない。そのため送信側に別のベアラフレームが送信されない限り又は送信されるまで、受信側は最終データフレームが受信されていないことを認識できない。より詳細には、ＲＬＰがフレーム順序番号の断絶により失われたフレームを判定するため、受信側はフレームが受信されていないか否かを判定すべく、次に送信されるフレームを受信する必要がある。
【０００５】
この問題を解決するため、従来技術のシステムは、最終データフレームが送信された後に、所定数のアイドルフレームを送信する。アイドルフレームはデータフレームの順序で次のフレーム番号と同じフレーム番号で構成される。これは図２に図示される。図２で示すように、一連のアイドルフレーム（Ｉ５）が送信された最終データフレーム（Ｆ４）に続いて送信される。Ｆ３が再送信された場合、一連のアイドルフレームが同様に続いて送信される。受信側がアイドルフレーム（Ｉ５）を受信した場合、データ送信の終了と、Ｆ４が受信側に送信された最終データフレームであることを認識する。
【０００６】
上記の問題はアイドルフレームの送信により解決するが、アイドルフレームの送信が無線周波数（ＲＦ）とネットワーク容量に対して悪影響を与えるという別の問題が生じてしまう。より詳細には、ＣＤＭＡシステムは自己干渉システムのため、システムを経由する全ての送信は、システム干渉やネットワーク容量の負荷の増加、また一部の場合では携帯加入者（ＭＳ）の電力を消耗するという結果を生じる。従って、従来のシステムと比較してシステム干渉やネットワーク容量の負荷の量を減少させ、最終データフレームが受信さ
れていないことを受信側が認識することを可能にするデータ送信のための方法及び装置が必要とされる。
【発明を実施するための最良の形態】
【０００７】
上記の必要性を解決するために、データ送信のための方法及び装置をここに開示する。本発明の好適な実施形態に基づき、幾つかの技術が送信されるアイドルフレームの数を減少するために使用される。より詳細には、本発明の好適な実施形態では、従来のシステムと異なりアイドルフレームカウンタはデータフレームの再送信後も再設定されない。さらに、送信された最終データフレームのためのＮＡＫが受信された場合、アイドルフレームはこれ以上送信されない。最後に、推定される次の新しいデータフレームの順序番号と同じ順序番号のアイドルフレームが受信された場合アイドル肯定応答（ＡＣＫ）が送信される。
【０００８】
上記の技術を使用することにより、データ送信終了時に送信されるアイドルフレーム数を減少できる。このため、システム干渉とネットワーク負荷が大幅に減少される。
本発明はデータ送信終了時に所定数（Ｎ）個のアイドルフレームが送信されるデータ送信のための方法からなる。この方法は複数のデータフレームを遠隔装置に送信する工程と、最終データフレームが遠隔装置に送信されたことを判定する工程と、最終データフレームが遠隔装置に送信されたという判定に応答して第一の複数（Ｋ）個のアイドルフレームを送信する工程とからなる。一度ＮＡＫが受信されると、不正受信されたデータフレームが再送信され、さらにＮ−Ｋ個のアイドルフレームが遠隔装置に送信される。
【０００９】
本発明はさらにデータ送信終了時に所定数のアイドルフレームが送信されるデータ送信のための方法を含む。この方法は、複数のデータフレームを遠隔装置に送信する工程と、最終データフレームが遠隔装置に送信されたことを判定する工程と、最終データフレームが遠隔装置に送信されたという判定に応答して第一の複数のアイドルフレームを送信する工程とからなる。最終データフレームが不正受信されたことを示す遠隔装置からのＮＡＫが受信されると、アイドルフレームの送信は中断する。
【００１０】
本発明はさらにデータ送信の方法を含む。この方法は、複数のデータフレームを受信する工程と、データフレームが不正受信されたことを判定する工程と、データフレームが不正受信されたという判定に応答して否定応答（ＮＡＫ）を送信する工程とからなる。ＮＡＫを送信することに加えて、アイドルフレームが受信された場合、受信されたアイドルフレームに応答して肯定反応（ＡＣＫ）が送信される。
【００１１】
本発明はさらにデータ送信終了時に所定数（Ｎ）個のアイドルフレームが送信される通信システム内のデータ送信のための装置を含む。この装置は複数のデータフレーム及び複数のアイドルフレームを遠隔装置に出力する送信回路と、否定応答されたデータフレームを入力として有する受信回路と、最終データフレームが遠隔装置に送信されたことを判定し、最終データフレームが遠隔装置に送信されたという判定に応答して送信回路に第一の複数（Ｋ）個のアイドルフレームを送信するよう指示し、及び否定応答されたデータフレーム再送信後に送信回路にＮ−Ｋ個のアイドルフレームを遠隔装置に送信するよう送信回路を指示する論理回路とからなる。
【００１２】
本発明はさらに通信システム内のデータ送信のための装置を含む。この装置は、複数のデータフレーム及び複数のアイドルフレームを遠隔装置に出力する送信回路と、否定応答されたデータフレームを入力として有する受信回路と、最終データフレームが遠隔装置に対して送信されたことを判定し、否定応答されたデータフレームが最終データフレームの送信を要求する場合に送信回路がアイドルフレームをこれ以上送信しないように指示する論理回路とからなる。
【００１３】
本発明はさらに、データフレーム及びアイドルフレームを受信する受信回路と、不十分に受信されたフレームに応答してＮＡＫを発生するために、また受信されたアイドルフレームに応答してＡＣＫを発生するために、受信回路と接続したＡＣＫ／ＮＡＫ発生器とを含む。
【００１４】
類似の数字により類似の要素を示す図を参照すると、図３は本発明の好適な実施形態に基づく通信システム３００のブロックダイヤグラムである。図のように、通信システム３００は送信回路３０１と、受信回路（もしくは遠隔装置）３０２とからなる。送信回路は好ましくはモトローラＳＣ中央基地局コントローラ（Ｍｏｔｏｒｏｌａ  ＳＣ  Ｃｅｎｔｒａｌｉｚｅｄ  Ｂａｓｅ  Ｓｉｔｅ  Ｃｏｎｔｒｏｌｌｅｒ）や、モトローラＳＣ４８００基地送受信システム（Ｍｏｔｏｒｏｌａ  ＳＣ  ４８００  Ｂａｓｅ  Ｔｒａｎｓｃｅｉｖｅｒ  Ｓｙｓｔｅｍ）等のＣＤＭＡ無線接続ネットワークであり、受信回路は好ましくは商標名モトローラＳｔａｒＴＡＣ等のモバイルや、携帯電話である。
【００１５】
動作中、データは論理回路３０４とバッファー３０５に入力される。データは通信チャネル３０８を経由して受信回路３０２にデータを送信する送信機３０３へ論理回路３０４から転送される。ＣＤＭＡ無線プロトコルはＲＬＰを使用する。上記のように、受信機が正確に受信されたＲＬＰフレームと認知しない場合に、ＲＬＰはプロトコルに基づいて否定応答する。受信回路３０２は、送信機にＮＡＫを送信することにより、未着ＲＬＰフレームの再送信の要求のみをする。より詳細には、フレームがシーケンスの範囲外で受信された場合に、受信機３０６はＡＣＫ／ＮＡＫ発生器３０７に不正受信された（受信されなかった）フレームのＮＡＫを指示する。ＮＡＫは通信チャネル３０８を通じて送信され、送信回路３０１により受信される（受信機を使用するが、図示していない）。
【００１６】
最終的にＮＡＫは論理回路３０４により受信され、論理回路３０４はバッファー３０５から損失フレームを検索し、送信機３０３が受信回路３０２にフレーム再送信を指示する。全てのデータが受信回路３０２に送信されると、論理ユニット３０４は、送信機３０３が送信された最終フレームから増分した順序番号を有する所定数（Ｎ）個のアイドルフレームを送信するように指示する。より詳細には、送信された最終データフレームが順序番号Ｍを有する場合、Ｎアイドルフレームがそれぞれ順序番号Ｍ＋１を有して送信される。受信回路３０２に送信されるアイドルフレームの番号を追跡し続けるために、論理回路３０４はアイドルフレームカウンタ３０８を使用する。
【００１７】
上記のように、アイドルフレームの送信が必要であるが、アイドルフレームの送信は無線周波数（ＲＦ）容量やネットワーク容量に悪影響を与えるという問題が発生する。この問題を解決するために、送信回路３０１により送信されるアイドルフレームの数は以下のような方法により制限される。
データの再送信はＲＬＰアイドルフレームカウンタを再設定しない。
従来技術の送信や受信では、アイドルフレームカウンタ３０８はデータフレームを再送信すると再設定され得る。例えば、図２を参照すると、送信された最終データフレーム（Ｆ４）の結果、送信機が４つのアイドルフレームを受信機に送信を試みる。しかし、２つのアイドルフレームのみが送信された後に、フレームＦ３が再送信された。この結果、アイドルフレームカウンタが再設定され、Ｆ３が再送信された後に、４つのアイドルフレームが送信された（この例ではＮ＝４）。
【００１８】
本発明の好適な実施形態では、従来のシステムと違い、データフレームの再送信後に、アイドルフレームカウンタは再設定されない。これは図４で示される。図のように、論理
回路３０４は受信回路３０２に最終データフレームが送信されたことを判定すると、送信回路３０１は受信回路３０２に対してＮ＝４のアイドルフレームの送信を試みる。２つアイドルフレームが送信された後、受信されたＮＡＫに応答してフレームＦ３が再送信される。フレームＦ３の再送信の後に４つのアイドルフレームを送信する代りに、論理回路３０４は送信機３０３が受信回路３０２に対してＮ−Ｋ個のアイドルフレームを送信するようにする。ここでＫは既に送信されたアイドルフレームの数である。アイドルフレームカウンタ３０８はフレームの再送信後に再設定されないため、わずかなアイドルフレームのみが受信回路３０２に送信され、システム干渉とネットワーク負荷を減少させる。
送信された最大データ順序番号としてＮＡＫが受信された場合にアイドルフレームはこれ以上送信されない。
論理的に、最大（最終）データフレームが否定応答された場合、受信回路は未着データフレームを検出するためにアイドルフレームを受信し得る。従って、本発明の好適な実施形態では、送信された最終データフレームに対してＮＡＫが受信されたとすると、アイドルフレームはこれ以上送信されない。これは図５で示される。図のように、最終データフレーム（Ｆ４）は受信回路３０２によって否定応答されたデータフレームとなる。このため、受信回路は順序番号５（Ｉ５）のアイドルフレームを正確に受信し得る。従って、このフレームを再送信した後、アイドルフレームはこれ以上送信されない。最終データフレームが否定応答された後に、送信回路３０１がアイドルフレームの送信を継続しないためである。わずかなアイドルフレームのみが受信回路３０２に送信され、システム干渉とネットワーク負荷を減少させる。
アイドルフレームが受信された場合、受信側はアイドルーフレーム肯定応答（Ｉｄｌｅ＿ＡＣＫ）を送信する。
本発明の好適な実施形態では、アイドルフレームが推定される次の新しいデータフレームの順序番号と等しい順序番号で受信された場合に、アイドル肯定応答（ＡＣＫ）が送信される。Ｉｄｌｅ＿ＡＣＫの受信により、送信回路３０１は受信回路３０２に対してアイドルフレームの送信を中断する。これは図６に示される。図のように、受信回路３０２が次に推定される順序番号のアイドルフレームを受信すると、アイドルＡＣＫが送信回路に送信される。アイドルＡＣＫは送信回路３０１に対して受信回路３０２によって対応する順序番号のアイドルフレームが受信されたことを示す。Ｉｄｌｅ＿ＡＣＫの順序番号が送信される次の順序番号と等しい場合に、送信回路は即座にアイドルフレームのこれ以上の送信を中断する。送信回路３０１はアイドルＡＣＫの受信後に、アイドルフレームの送信を継続しないためである。わずかなアイドルフレームのみが受信回路３０２に送信され、システム干渉とネットワーク負荷を減少させる。
【００１９】
図７は本発明の好適な実施形態に基づく図３の受信機の動作を示すフローチャートである。論理フローは受信機３０６がフレームを受信する工程７０１から開始する。工程７０３において、論理ユニット３０９はバッファー内（図示せず）に現行のフレームを格納し、工程７０５において、論理ユニットはフレームの不正な順序で受信されたかどうか判定する。工程７０５において、論理回路３０９はフレームの不正な順序で受信されたという判定をした場合に論理フローは工程７０７に進み、ＮＡＫが未着フレームに対して送信される。さもなければ、論理フローは工程７０９に進む。工程７０９において、論理ユニット３０９は受信されたフレームがアイドルフレームか判定し、アイドルフレームの場合に、論理フローはアイドル−フレームＡＣＫが送信される工程７１１に進む。上記したように、アイドルーフレーム肯定応答はアイドルフレームが受信されたことを送信機に示し、送信機によるアイドルフレームの送信を中断させる。工程７０９において、論理回路３０９はアイドルフレームが受信されていないと判定した場合、論理フローは工程３０７に戻
る。
【００２０】
上記のように、アイドルＡＣＫが受信された後に、送信回路３０１がアイドルフレームの送信を継続しないため、わずかなアイドルフレームのみが受信回路３０２に送信され、システム干渉とネットワーク負荷を減少させる。
【００２１】
図８は本発明の第一の好適な実施形態に基づく図３の送信機の動作を示すフローチャートである。第一の好適な実施形態に基づき、データフレームの再送信はＲＬＰアイドルフレームカウンタを再設定しない。論理フローは最終データフレームが送信されたかどうか論理回路３０４が判定する工程８０１から開始する。工程８０１において、最終データフレームが送信されていないと判定された場合、論理フローが工程８０３に続く。さもなければ、論理フローはアイドルフレームカウンタが初期化される（０と設定される）工程８０５に進む。工程８０３において、論理ユニット３０４は送信機３０３にデータフレームを送信するように指示し、論理フローは工程８０１に戻る。
【００２２】
アイドルフレームカウンタ（工程８０５）を初期化後に、論理フローは論理回路３０４が送信機３０３に受信回路に対してアイドルフレームを送信するように指示する工程８０７へ進む。上記したように、アイドルフレームは送信された最終データフレームから増分されたフレーム番号を有する。アイドルフレームの送信後に、論理ユニット３０４はアイドルフレームカウンタを増分する（工程８０９）。次に、論理回路３０４はＮＡＫが受信されたかどうか判定する（工程８１１）。受信された場合、論理ユニット３０４は送信機３０３に否定応答されたフレームを再送信させる（工程８１３）。次に論理フローは工程８１５に進む。工程８１１において、ＮＡＫが受信されなかったと判定された場合に、論理フローは送信されたアイドルフレームの数が閾値（Ｎ）と等しいかどうか判定される工程８１５に進む。工程８１５において、送信されたフレームの数がＮと等しいと判定された場合、論理フローはステップ８１７で終了し、そうでない場合は、論理フローは工程８０７に戻る。
【００２３】
上記したように、アイドルフレームカウンタ３０８がフレームの再送信後に再設定されないため、わずかなアイドルフレームのみが受信回路３０２に送信され、システム干渉を減少させる。
【００２４】
図９は本発明の第二の好適な実施形態に基づく図３の送信機の動作を示すフローチャートである。第二の好適な実施形態に基づき、最後及び最終データフレームが否定応答された場合、アイドルフレーム送信を中断する。論理フローは、追加工程９０１を除き、図８で示される論理フローと同様である。より詳細には、否定応答されたフレームが送信された後に（工程８１３）、論理ユニット３０４は否定応答されたフレームが送信された最終データフレームかどうか判定するためにチェックし得（工程９０１）、最終データフレームの場合、論理フローは工程８１７で終了し、さもなければ、論理フローは工程８１５に進む。さらに、本発明の別の実施形態では、フィルフレームはアイドルフレーム送信が中断できるかどうか判定するために使用され得る。この場合、工程９０１はフィルフレームが受信されたかどうか判定し、送信された最終データフレームから増分された順序番号か照合する。この場合、アイドル−フレーム送信が中断される。
【００２５】
最終データフレームが否定応答された場合に、上記の論理フローはアイドルフレーム送信をこれ以上生じさせない。最終データフレームが否定応答された場合に、送信回路３０１はアイドルフレームの送信を中断し、わずかなアイドルフレームのみが受信回路３０２に送信され、システム干渉を減少させる。
【００２６】
図１０は本発明の第三の好適な実施形態に基づく図３の送信機の動作を示すフローチャ
ートである。第三の好適な実施形態に基づき、アイドル−フレームＡＣＫの受信後に、アイドルフレームの送信は中断する。論理フローは、追加工程１００１を除き、図８で示される論理フローと同様である。より詳細には、工程１００１において、送信された最終データフレームから増分された順序番号のアイドル−フレームＡＣＫを受信したかどうか判定し、受信した場合、論理フローは更なるアイドルフレームを送信することなく終了し（工程８１７）、さもなければ、論理フローは工程８０７に戻る。
【００２７】
アイドルＡＣＫを受信後に送信回路３０１はアイドルフレームの送信を継続しないため、わずかなアイドルフレームのみが受信回路３０２に送信され、システム干渉を減少させる。
【００２８】
以下の文章はＲＬＰ内に上記の実施形態を実装するために必要な変更を示す。より詳細には、以下の文章はＲＬＰ内に上記の手順を実装するためにＴＩＡ／ＥＩＡ国際標準ＩＳ−７０７−Ａ−２．１０（標準）に対する必要な変更点を示す。これらの節の下線部はＲＬＰに加えることが必要な変更点である。
３．６．１．２  アイドルタイマ動作
２０ｍｓ毎に、ＲＬＰは以下の通りに実行すること。
●ＲＬＰがいかなる空白、再送信、アイドル、及びフィルを有さないＲＬＰフレームを多重送信サブレイヤに提供した場合、ＲＬＰはアイドルタイマを実施に依存する値に再設定し、アイドルフレーム送信カウンタを０に設定すること。
●さもなければ、ＲＬＰはフレームの再送信が多重送信サブレイヤに提供されない場合、ＲＬＰはアイドルタイマを減少させる。これによりアイドルタイマの失効（この値が０に到達した場合等、）を起こした場合、ＲＬＰはアイドルフレームを生成し、これをデータフレームとして分類すること、アイドルタイマを実施に依存する値に再設定すること、及びアイドルフレーム送信カウンタを増分すること。アイドルフレーム送信カウンタが実施に依存する値に達した場合に、アイドルタイマを無効にすること。
［・・・］
３．６．２．２  アイドルフレーム処理
受信されたアイドルフレーム毎に、ＲＬＰは以下の関係式によりＬ＿ＳＥＱを計算すること。
【００２９】
Ｌ＿ＳＥＱ＝｛ＳＥＱ＋［ＳＥＱ＿ＨＩ×２５６］｝
●ＲＬＰは遅延ＲＬＰフレームとしてフレームが識別された場合、このフレームを廃棄すること。
●受信されたアイドルフレームが仕様４．５．１によりフォーマットされ、Ｌ＿ＳＥＱがＬ＿Ｖ（Ｒ）と等しい場合、ＲＬＰは仕様４．５．１によるＩｄｌｅ＿Ａｃｋフレームを生成し、及びこれをデータフレームとして分類すること。既知のＬ＿Ｖ（Ｒ）値ごとの送信Ｉｄｌｅ＿Ａｃｋフレームの数は実施に依存する値により制限され得る。
●受信されたアイドルフレームが仕様４．５．１によりフォーマットされ、Ｌ＿ＳＥＱがＬ＿Ｖ（Ｒ）以上の場合、ＲＬＰはＬ＿Ｖ（Ｒ）からＬ＿Ｖ（Ｌ＿ＳＥＱ−１）モード４０９６までの順序番号の未着データフレーム又はデータフレームの未着セグメントごとにＮＡＫリスト入力を生成すること。各ＮＡＫリスト入力は一つの未着データフレーム又はデータフレームの未着セグメントの順序番号を含むこと。次にＲＬＰはＬ＿Ｖ（Ｒ）からＬ＿ＳＥＱにセットすること。
●受信されたアイドルフレームが仕様４．５．２によりフォーマットされ、Ｌ＿ＳＥＱがＬ＿Ｖ（Ｒ）以上の場合、及び、ＲＬＰが未着データのオクテットがあると判定した場合、ＲＬＰはＬ＿Ｖ（Ｒ）からＬ＿ＳＥＱまでの順序番号の未着データフレーム又はデータフレームの未着セグメントに関してＮＡＫリスト入力を生成すること。
●Ｌ＿ＳＥＱがＬ＿Ｖ（Ｎ）未満の場合、ＲＬＰは仕様３．４の再設定手順を実行すること。
［・・・］
３．６．２．３  フィルフレーム処理
各受信されたフィルフレームに対して、ＲＬＰは以下の関係式からＬ＿Ｖ（Ｒ）ｐｅｅｒを計算すること。
【００３０】
Ｌ＿Ｖ（Ｒ）ｐｅｅｒ＝｛ＳＥＱ＋［ＳＥＱ＿ＨＩ×２５６］｝
Ｌ＿Ｖ（Ｒ）ｐｅｅｒがＬ＿Ｖ（Ｓ）より大きい場合、ＲＬＰは仕様３．４の再設定手順を実行すること。Ｌ＿Ｖ（Ｒ）ｐｅｅｒがＬ＿Ｖ（Ｓ）と等しい場合、ＲＬＰはアイドルタイマを無効にすること。
［・・・］
３．６．２．４  ＮＡＫ制御フレーム処理
有効な受信されたＮＡＫ制御フレームに対して、ＲＬＰは以下の関係式からＬ＿Ｖ（Ｒ）ｐｅｅｒを計算すること。
【００３１】
Ｌ＿Ｖ（Ｒ）ｐｅｅｒ＝｛ＳＥＱ＋［ＳＥＱ＿ＨＩ×２５６］｝
●Ｌ＿Ｖ（Ｒ）ｐｅｅｒがＬ＿Ｖ（Ｓ）より大きい場合、ＲＬＰは仕様３．４の再設定手順を実行すること。
●Ｌ＿Ｖ（Ｒ）ｐｅｅｒがＬ＿Ｖ（Ｓ）−１と等しい場合、ＲＬＰはアイドルタイマを無効にすること。
●ＲＬＰは各要求されたデータフレームやデータフレームのセグメントのコピーを生成すること。再送信は分割されていないデータフレーム又は一つ以上の分割されたデータフレームのどちらでも行うこと。ＮＡＫがＬ＿Ｖ（Ｓ）より大きい順序番号を要求した場合、ＲＬＰは仕様３．４の再設定手順を実行すること。
［・・・］
３．６．２．７  アイドルＡｃｋ制御フレーム処理
各受信アイドルＡｃｋフレームに対して、ＲＬＰは以下の関係式からＬ＿ＳＥＱを計算すること。
【００３２】
Ｌ＿ＳＥＱ＝｛ＳＥＱ＋［ＳＥＱ＿ＨＩ×２５６］｝
●ＳＥＱがＬ＿Ｖ（Ｓ）と等しくない場合、ＲＬＰはフレームを廃棄すること。
●ＳＥＱがＬ＿Ｖ（Ｓ）と等しい場合、ＲＬＰはアイドルタイマを無効にすること。
［・・・］
４．５  アイドル／Ｉｄｌｅ＿Ａｃｋフレーム
ＲＬＰが同期モードの場合、ＲＬＰは仕様４．５．２フレーム形式を使用すること。
【００３３】
４．５１  アイドル／Ｉｄｌｅ＿Ａｃｋフレーム形式１
【００３４】
【表１】
2005515699.tif 000003
具体的な実施形態を参考に本発明を詳細に示し記述してきたが、本発明の精神と範囲から離れることなく、形式や詳細の様々な変更を行い得ることを当業者は理解し得る。例えば、送信アイドルフレーム数を減少する幾つかの技術を採用したが、上記の技術のいかなる組合せを使い得ることを当業者は理解し得る。このような変更は本発明の範囲と考えられる。
【図面の簡単な説明】
【００３５】
【図１】従来技術のデータ送信を示す概略図。
【図２】従来技術のデータ送信を示す概略図。
【図３】本発明の最適な実施形態に基づく通信システムのブロックダイヤグラムを示す概略図。
【図４】本発明の最適な実施形態に基づくデータ送信を示す概略図。
【図５】本発明の最適な実施形態に基づくデータ送信を示す概略図。
【図６】本発明の最適な実施形態に基づくデータ送信を示す概略図。
【図７】本発明の最適な実施形態に基づく図３の受信側の動作を示すフローチャート。
【図８】本発明の最適な実施形態に基づく図３の送信側の動作を示すフローチャート。
【図９】本発明の最適な実施形態に基づく図３の送信側の動作を示すフローチャート。
【図１０】本発明の最適な実施形態に基づく図３の送信側の動作を示すフローチャート。
【図１】
2005515699.tif 000004
【図２】
2005515699.tif 000005
【図３】
2005515699.tif 000006
【図４】
2005515699.tif 000007
【図５】
2005515699.tif 000008
【図６】
2005515699.tif 000009
【図７】
2005515699.tif 000010
【図８】
2005515699.tif 000011
【図９】
2005515699.tif 000012
【図１０】
2005515699.tif 000013
【国際調査報告】
2005515699.tif 000014
2005515699.tif 000015
2005515699.tif 000016